【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
外部装置と通信可能であり、所定の条件を満たし且つ前記外部装置と通信するための通信回線が接続されていないことに基づいてオフする通信装置であって、
前記通信回線が接続可能な接続部と、
前記通信装置を、前記接続部に前記通信回線が接続されているか否かを検知できる通常電力状態から前記接続部に前記通信回線が接続されているか否かを検知できない省電力状態に移行する移行手段と、を備え、
前記移行手段は、前記省電力状態で前記所定の条件を満たしたことに基づいて、前記通信装置を前記省電力状態から前記通常電力状態に移行する、ことを特徴とする通信装置。
【請求項２】
前記接続部に通信回線が接続されているか否かを判定する判定手段をさらに備え、
前記判定手段は、前記所定の条件を満たしたことに基づいて前記通信装置が前記省電力状態から前記通常電力状態に移行したときに、前記接続部に前記通信回線が接続されているか否かを判定する、ことを特徴とする請求項１に記載の通信装置。
【請求項３】
前記判定手段による判定の結果、前記接続部に前記通信回線が接続されていないと判定したことに基づいて、前記移行手段は、前記通信装置をオフする、ことを特徴とする請求項２に記載の通信装置。
【請求項４】
前記移行手段は、所定時間が経過したことに基づいて前記通信装置を前記通常電力状態から前記省電力状態に移行し、
前記判定手段による判定の結果、前記接続部に前記通信回線が接続されていると判定したことに基づいて、前記移行手段は、前記所定時間を待たずに前記通信装置を前記通常電力状態から前記省電力状態に移行する、ことを特徴とする請求項２に記載の通信装置。
【請求項５】
前記判定手段は、前記通信回線の電圧値に基づいて、前記接続部に通信回線が接続されているか否かを判定する、ことを特徴とする請求項２乃至４の何れか１項に記載の通信装置。
【請求項６】
前記省電力状態で予め定めた時間が経過したときに、前記所定の条件が満たされる、ことを特徴とする請求項１乃至５の何れか１項に記載の通信装置。
【請求項７】
前記予め定めた時間が経過したときに割り込み信号を出力する割り込み回路をさらに備える、ことを特徴とする請求項６に記載の通信装置。
【請求項８】
前記省電力状態への移行時に前記割り込み回路に前記予め定めた時間が設定される、ことを特徴とする請求項７に記載の通信装置。
【請求項９】
前記予め定めた時間は、前記通信装置が設置されて使用が開始されてからの経過時間が長くなることに応じて短い時間に定められる、ことを特徴とする請求項６乃至８の何れか１項に記載の通信装置。
【請求項１０】
前記接続部は、ファックスデータを送信又は受信するための回線が接続可能な接続部である、ことを特徴とする請求項１乃至９の何れか１項に記載の通信装置。
【請求項１１】
用紙に画像を印刷する印刷部、及び、原稿の画像を読み取る読取部の少なくとも一方を備える、ことを特徴とする請求項１乃至１０の何れか１項に記載の通信装置。
【請求項１２】
外部装置と通信可能であり、前記外部装置と通信するための通信回線が接続可能な接続部を備え、所定の条件を満たし且つ前記通信回線が接続されていないことに基づいてオフする通信装置の制御方法であって、
前記通信装置を、前記接続部に前記通信回線が接続されているか否かを検知できる通常電力状態から前記接続部に前記通信回線が接続されているか否かを検知できない省電力状態に移行する移行工程を含み、
前記移行工程では、前記省電力状態で前記所定の条件を満たしたことに基づいて、前記通信装置を前記省電力状態から前記通常電力状態に移行する、ことを特徴とする通信装置の制御方法。
【請求項１３】
前記接続部に通信回線が接続されているか否かを判定する判定工程をさらに含み、
前記判定工程では、前記所定の条件を満たしたことに基づいて前記通信装置が前記省電力状態から前記通常電力状態に移行したときに、前記接続部に前記通信回線が接続されているか否かを判定する、ことを特徴とする請求項１２に記載の通信装置の制御方法。
【請求項１４】
前記判定工程における判定の結果、前記接続部に前記通信回線が接続されていないと判定したことに基づいて、前記移行工程では、前記通信装置をオフする、ことを特徴とする請求項１３に記載の通信装置の制御方法。
【請求項１５】
前記移行工程では、所定時間が経過したことに基づいて前記通信装置を前記通常電力状態から前記省電力状態に移行し、
前記判定工程における判定の結果、前記接続部に前記通信回線が接続されていると判定したことに基づいて、前記移行工程では、前記所定時間を待たずに前記通信装置を前記通常電力状態から前記省電力状態に移行する、ことを特徴とする請求項１３に記載の通信装置の制御方法。
【請求項１６】
前記判定工程では、前記通信回線の電圧値に基づいて、前記接続部に通信回線が接続されているか否かを判定する、ことを特徴とする請求項１３乃至１５の何れか１項に記載の通信装置の制御方法。
【請求項１７】
前記省電力状態で予め定めた時間が経過したときに、前記所定の条件が満たされる、ことを特徴とする請求項１２乃至１６の何れか１項に記載の通信装置の制御方法。
【請求項１８】
前記予め定めた時間が経過したときに割り込み信号を出力する割り込み回路をさらに備える、ことを特徴とする請求項１７に記載の通信装置の制御方法。
【請求項１９】
前記省電力状態への移行時に前記割り込み回路に前記予め定めた時間が設定される、ことを特徴とする請求項１８に記載の通信装置の制御方法。
【請求項２０】
前記予め定めた時間は、前記通信装置が設置されて使用が開始されてからの経過時間が長くなることに応じて短い時間に定められる、ことを特徴とする請求項１７乃至１９の何れか１項に記載の通信装置の制御方法。
【請求項２１】
前記接続部は、ファックスデータを送信又は受信するための回線が接続可能な接続部である、ことを特徴とする請求項１２乃至２０の何れか１項に記載の通信装置の制御方法。
【請求項２２】
用紙に画像を印刷する印刷部、及び、原稿の画像を読み取る読取部の少なくとも一方を備える、ことを特徴とする請求項１２乃至２１の何れか１項に記載の通信装置の制御方法。
【手続補正２】
【補正対象書類名】明細書
【補正対象項目名】発明の名称
【補正方法】変更
【補正の内容】
【発明の名称】通信装置及びその制御方法
【手続補正３】
【補正対象書類名】明細書
【補正対象項目名】０００１
【補正方法】変更
【補正の内容】
【０００１】
本発明は、通信装置及びその制御方法に関するものである。
【手続補正４】
【補正対象書類名】明細書
【補正対象項目名】００１１
【補正方法】変更
【補正の内容】
【００１１】
上記目的を達成するために本発明の一態様に係る通信装置は、以下のような構成を備える。即ち、
外部装置と通信可能であり、所定の条件を満たし且つ前記外部装置と通信するための通信回線が接続されていないことに基づいてオフする通信装置であって、
前記通信回線が接続可能な接続部と、
前記通信装置を、前記接続部に前記通信回線が接続されているか否かを検知できる通常電力状態から前記接続部に前記通信回線が接続されているか否かを検知できない省電力状態に移行する移行手段と、を備え、
前記移行手段は、前記省電力状態で前記所定の条件を満たしたことに基づいて、前記通信装置を前記省電力状態から前記通常電力状態に移行する、ことを特徴とする。
【手続補正５】
【補正対象書類名】明細書
【補正対象項目名】００２６
【補正方法】変更
【補正の内容】
【００２６】
擬似ＣＩ送出回路１１６は、電話機１２８に対して擬似ＣＩ信号１２６を送出する。疑似ＣＩ信号１２６は、通信回線１３０を介して相手側装置からのＣＩ信号の着信があった場合に、通信回線１３０から切断された状態にある電話機１２８を鳴動させるために、電話機１２８に対して送られる信号である。擬似ＣＩ送出回路１１６は、ＳＯＣ１０１からの擬似ＣＩ駆動信号１１５による送出指示に応じて、擬似ＣＩ信号１２６を電話機１２８に対して送出する。ＰＳＴＮ２１０は公衆回線網、相手ＦＡＸ２２０は、ＰＳＴＮ２１０を介して接続される対抗機である画像形成装置である。保護素子２３０は、ヒューズ等を含む電流保護素子である。